(57)【要約】      （修正有）【課題】真空断熱パネルの内部に吸着材を設けて真空断熱パネルの真空度を長期的に維持しつつ、吸着材が断熱箱体の断熱性に及ぼす影響を極力抑制することができる冷蔵庫、及びその冷蔵庫に用いられる真空断熱パネルを提供する。【解決手段】冷蔵庫１０は、断熱性を有し内部に貯蔵室を有する断熱箱体２０を備える。断熱箱体を構成する断熱壁のうち側面及び背面を構成する断熱壁の少なくとも一方は、内板と外板との間に真空断熱パネル３０を設けて構成されている。真空断熱パネルは、真空断熱パネルの外殻を構成する外包材と、外包材に内包されたコア材と、気体成分を吸着する性質を有し、真空断熱パネル内の少なくとも２つの異なる領域に設けられてコア材と共に外包材に内包された複数の吸着材５０と、を有する。【選択図】図４
2020122632.tif 000002
【特許請求の範囲】
【請求項１】
断熱性を有し内部に貯蔵室を有する断熱箱体を備え、
前記断熱箱体を構成する断熱壁のうち側面及び背面を構成する断熱壁の少なくとも一方は、内板と外板との間に真空断熱パネルを設けて構成され、
前記真空断熱パネルは、
前記真空断熱パネルの外殻を構成する外包材と、
前記外包材に内包されたコア材と、
気体成分を吸着する性質を有し、前記真空断熱パネル内の少なくとも２つの異なる領域に設けられて前記コア材と共に前記外包材に内包された複数の吸着材と、を有する
冷蔵庫。
【請求項２】
前記断熱箱体は、内部に冷蔵温度帯の貯蔵室と冷凍温度帯の貯蔵室とを有し、
複数の前記吸着材のうちの少なくとも１つは、前記冷蔵温度帯の貯蔵室と重なる領域に設けられ、複数の前記吸着材のうちの少なくとも他の１つは、前記冷凍温度帯の貯蔵室と重なる領域に設けられている、
請求項１に記載の冷蔵庫。
【請求項３】
前記断熱箱体は、内部に冷蔵温度帯の貯蔵室と冷凍温度帯の貯蔵室とを有し、
前記真空断熱パネルと前記外板との間に設けられて前記断熱壁内で引き回された配管部材を更に備え、
複数の前記吸着材のうち少なくとも１つは、前記冷蔵温度帯の貯蔵室と重なる領域に設けられ、複数の前記吸着材のうち少なくとも他の１つは、前記配管部材に囲まれた内側の領域に設けられている、
請求項１に記載の冷蔵庫。
【請求項４】
前記断熱箱体は、内部に冷蔵温度帯の貯蔵室と冷凍温度帯の貯蔵室とを有し、
複数の前記吸着材のうちの少なくとも１つは、前記冷蔵温度帯の貯蔵室と重なる領域に設けられ、複数の前記吸着材のうちの少なくとも他の１つは、前記真空断熱パネルの下端部近傍の領域に設けられている、
請求項１に記載の冷蔵庫。
【請求項５】
前記真空断熱パネルと前記外板との間に設けられて前記断熱壁内で引き回された配管部材を更に備え、
複数の前記吸着材のうちの少なくとも１つは、を前記配管部材に囲まれた内側の領域に設けられ、複数の前記吸着材のうちの少なくとも１つは、前記配管部材と重なる領域に設けられている
請求項１に記載の冷蔵庫。
【請求項６】
前記断熱箱体は、内部に冷蔵温度帯の貯蔵室と冷凍温度帯の貯蔵室とを有し、
前記外包材は、前記コア材からはみ出た部分を前記コア材に沿って折り返して形成された耳部を有し、
複数の前記吸着材のうち少なくとも１つは、前記冷蔵温度帯の貯蔵室又は前記冷凍温度帯の貯蔵室と重なる領域に設けられ、複数の前記吸着材のうち少なくとも他の１つは、少なくとも一部が前記耳部と重なる領域に設けられている、
請求項１に記載の冷蔵庫。
【請求項７】
前記断熱箱体は、内部に冷蔵温度帯の貯蔵室と冷凍温度帯の貯蔵室とを有し、
複数の前記吸着材のうちの少なくとも１つは、前記冷蔵温度帯の貯蔵室と重なる領域に設けられ、複数の前記吸着材のうちの少なくとも他の１つは、前記真空断熱パネルの上端部近傍の領域に設けられている、
請求項１に記載の冷蔵庫。
【請求項８】
前記真空断熱パネルと前記外板との間に設けられて前記断熱壁内で引き回された配管部材を更に備え、
複数の前記吸着材のうちの少なくとも１つは、前記配管部材に囲まれた内側の領域に設けられ、複数の前記吸着材のうちの少なくとも１つは、前記配管部材に囲まれた外側の領域に設けられている
請求項１に記載の冷蔵庫。
【請求項９】
前記断熱箱体は、内部に冷蔵温度帯の貯蔵室と冷凍温度帯の貯蔵室とを有し、
前記真空断熱パネルと前記外板との間に設けられて前記断熱壁内で引き回された配管部材を更に備え、
複数の前記吸着材のうち少なくとも１つは、前記冷蔵温度帯の貯蔵室と重なる領域に設けられ、複数の前記吸着材のうち少なくとも他の１つは、前記配管部材に囲まれた外側の領域に設けられている、
請求項１に記載の冷蔵庫。
【請求項１０】
前記断熱箱体は、内部に冷蔵温度帯の貯蔵室と冷凍温度帯の貯蔵室とを有するとともに、前記冷蔵温度帯の貯蔵室と前記冷凍温度帯の貯蔵室とを仕切る断熱仕切り壁を有し、
複数の前記吸着材のうち少なくとも１つは、前記冷蔵温度帯の貯蔵室と重なる領域に設けられ、複数の前記吸着材のうち少なくとも他の１つは、少なくとも一部が前記断熱仕切り壁と重なる領域に設けられている、
請求項１に記載の冷蔵庫。
【請求項１１】
複数の前記吸着材のうち少なくとも１つは、水蒸気成分を吸収する性質を有している、
請求項１から１０のいずれか一項に記載の冷蔵庫。
【請求項１２】
複数の前記吸着材のうち少なくとも１つは、水蒸気成分以外の気体成分を吸収する性質を有している、
請求項１から１１のいずれか一項に記載の冷蔵庫。
【請求項１３】
外殻を構成する外包材と、
前記外包材に内包されたコア材と、
気体成分を吸着する性質を有し、少なくとも２つの異なる領域に設けられて前記コア材と共に前記外包材に内包された複数の吸着材と、
を備える真空断熱パネル。
【請求項１４】
複数の前記吸着材のうち少なくとも２つは、それぞれ断熱対象の温度帯、又は断熱性、若しくは断熱対象への断熱性の影響、いずれかが異なる領域に設けられている、
請求項１３に記載の真空断熱パネル。
【請求項１５】
複数の前記吸着材のうち少なくとも１つは、水蒸気成分を吸収する性質を有している、
請求項１３又は１４に記載の真空断熱パネル。
【請求項１６】
複数の前記吸着材のうち少なくとも１つは、水蒸気成分以外の気体成分を吸収する性質を有している、
請求項１３から１５のいずれか一項に記載の真空断熱パネル。
【発明の詳細な説明】
【技術分野】
【０００１】
本発明の実施形態は、冷蔵庫、及び真空断熱パネルに関する。
【背景技術】
【０００２】
近年、断熱箱体を構成する断熱壁の内部に断熱材として真空断熱パネルを備えた冷蔵庫がある。真空断熱パネルは、従来の発泡ウレタンなどの断熱材に比べて薄くても断熱性能に優れている。このため、断熱箱体の断熱材として真空断熱パネルを採用することにより、貯蔵室の大容量化や、断熱性能の向上が可能となる。
【０００３】
真空断熱パネルは、グラスウールやグラスファイバなどのコア材を、ガスバリア性を有する外包材内に収容し、その外包材内を減圧することによって構成される。真空断熱パネルの内部には、長期の信頼性を確保する方策として、内部の真空度を維持するために、水蒸気ガスを吸着する乾燥材やその他の気体を吸着するゲッタ材など、複数の吸着材を設けることがある。しかしながら、吸着材は、真空断熱パネルよりも熱を伝導し易く断熱性が低い。そして、このような吸着材の配設位置については、従来、あまり考慮されておらず、吸着材の配置箇所によっては断熱箱体の断熱性に影響を及ぼす可能性があった。
【先行技術文献】
【特許文献】
【０００４】
【特許文献１】特開２０１４−６６４４４号公報
【発明の概要】
【発明が解決しようとする課題】
【０００５】
そこで、真空断熱パネルの内部に吸着材を設けて真空断熱パネルの真空度を長期的に維持しつつ、吸着材が断熱箱体の断熱性に及ぼす影響を極力抑制することができる冷蔵庫、及びその冷蔵庫に用いられる真空断熱パネルを提供する。
【課題を解決するための手段】
【０００６】
本実施形態の冷蔵庫は、断熱性を有し内部に貯蔵室を有する断熱箱体を備える。前記断熱箱体を構成する断熱壁のうち側面及び背面を構成する断熱壁の少なくとも一方は、内板と外板との間に真空断熱パネルを設けて構成されている。前記真空断熱パネルは、前記真空断熱パネルの外殻を構成する外包材と、前記外包材に内包されたコア材と、気体成分を吸着する性質を有し、前記真空断熱パネル内の少なくとも２つの異なる領域に設けられて前記コア材と共に前記外包材に内包された複数の吸着材と、を有する。
【図面の簡単な説明】
【０００７】
【図１】第１実施形態による冷蔵庫の外観を模式的に示す斜視図
【図２】第１実施形態による冷蔵庫について、断熱壁箱体の構造を模式的に示す斜視図
【図３】第１実施形態による冷蔵庫について、断熱箱体に設けられた真空断熱パネルを模式的に示す斜視図
【図４】第１実施形態による冷蔵庫について、側面のうち外板を除いて真空断熱パネルを露出させて示す図
【図５】第１実施形態による冷蔵庫について、図４のＸ５−Ｘ５線に沿って断熱箱体の断面を模式的に示す横断面図
【図６】第１実施形態による冷蔵庫について、真空断熱パネルの水平方向の端部近傍を示す断面図
【図７】第２実施形態について、真空断熱パネルに対する吸着材の配置例を模式的に示す図
【図８】第２実施形態による冷蔵庫について、真空断熱パネルの下端部近傍を示す断面図
【図９】第２実施形態による冷蔵庫について、真空断熱パネルの製造工程を示す図（その１）
【図１０】第２実施形態による冷蔵庫について、真空断熱パネルの製造工程を示す図（その２）
【図１１】第３実施形態について、真空断熱パネルに対する吸着材の配置例を模式的に示す図
【図１２】第４実施形態について、真空断熱パネルに対する吸着材の配置例を模式的に示す図
【図１３】第５実施形態について、真空断熱パネルに対する吸着材の配置例を模式的に示す図
【図１４】第６実施形態について、真空断熱パネルに対する吸着材の配置例を模式的に示す図
【図１５】その他の実施形態について、真空断熱パネルに対する吸着材の配置例を模式的に示す図（その１）
【図１６】その他の実施形態について、真空断熱パネルに対する吸着材の配置例を模式的に示す図（その２）
【図１７】その他の実施形態について、真空断熱パネルに対する吸着材の配置例を模式的に示す図（その３）
【発明を実施するための形態】
【０００８】
以下、複数の実施形態による冷蔵庫を、図面を参照して説明する。なお、各実施形態において実質的に同一の構成部位には同一の符号を付し、説明を省略する。
【０００９】
（第１実施形態）
まず、第１実施形態について図１〜図６を参照して説明する。図１に示すように、冷蔵庫１０は、前面が開口した縦長の矩形状の断熱箱体２０内に、複数の貯蔵室を有して構成されている。以下の説明では、冷蔵庫１０の開口側を冷蔵庫１０の前側とし、開口とは反対側を冷蔵庫１０の後ろ側とする。また、冷蔵庫１０を図１の姿勢で床面に設置した場合における重力方向に対応する上下方向を、冷蔵庫１０の上下方向とする。また、図１の冷蔵庫１０を前側から見た場合における左右方向を、冷蔵庫１０の左右方向とする。なお、冷蔵庫１０について、各貯蔵室の内側を冷蔵庫１０の庫内とし、各貯蔵室の外側を庫外と称する。
【００１０】
図１及び図２に示すように、冷蔵庫１０は、断熱箱体２０を主体として構成されている。断熱箱体２０は、前面が開口した箱体で構成されており、断熱性を有している。断熱箱体２０は、食品などの貯蔵物を貯蔵するための複数の貯蔵室として、例えば、冷蔵室１１、野菜室１２、製氷室１３、小冷凍室１４、及び冷凍室１５を有している。冷蔵室１１は、断熱箱体２０の最上部に設けられている。野菜室１２は、冷蔵室１１の下方に設けられている。製氷室１３及び小冷凍室１４は、野菜室１２の下方にあって、左右に並べて設けられている。冷凍室１５は、製氷室１３及び小冷凍室１４の下方、つまり断熱箱体２０の最下部に設けられている。
【００１１】
なお、図１に示す冷蔵庫１０の構成は一例であり、貯蔵室の数や種類および配置は、図１に示すものに限定されない。例えば、冷蔵室１１の下方に製氷室１３及び小冷凍室１４が設けられ、製氷室１３及び小冷凍室１４の下方に冷凍室１５が設けられ、冷凍室１５の下方に、つまり断熱箱体２０の最下部に野菜室１２が設けられていても良い。
【００１２】
冷蔵室１１及び野菜室１２は、いずれも冷蔵温度帯の貯蔵室であり、その庫内は例えば１〜４℃のプラス温度帯に維持されている。冷蔵室１１と野菜室１２との間は、断熱性を必要としない非断熱仕切り壁２５により上下に仕切られている。製氷室１３、小冷凍室１４、及び冷凍室１５は、いずれも冷凍温度帯の貯蔵室であり、その庫内は例えば−１０℃〜−２０℃のマイナス温度帯に維持される。野菜室１２と、製氷室１３及び小冷凍室１４との間は、図４に示すように断熱性を有する断熱仕切り壁２６によって仕切られている。この場合、非断熱仕切り壁２５及び断熱仕切り壁２６は、断熱箱体２０の直接的な断熱対象とならない非断熱対象である。
【００１３】
冷蔵庫１０は、冷蔵室扉１１１、１１２、野菜室扉１２１、製氷室扉１３１、小冷凍室扉１４１、及び冷凍室扉１５１を備えている。冷蔵室扉１１１、１１２は、例えば観音開きのヒンジ開閉式の扉であって、冷蔵室１１の開口を開閉する。野菜室扉１２１、製氷室扉１３１、小冷凍室扉１４１、及び冷凍室扉１５１は、いずれも引き出し式であって、それぞれ野菜室１２、製氷室１３、小冷凍室１４、及び冷凍室１５の開口を開閉する。
【００１４】
断熱箱体２０は、例えば分割された複数の断熱壁、この場合、左右の側部断熱壁２１、背部断熱壁２２、天井部断熱壁２３、及び底部断熱壁２４を組み合わせることにより箱状に構成されている。側部断熱壁２１は、断熱箱体２０の左右の側面を構成する断熱壁である。側部断熱壁２１は、図５に示すように、外板２０１と内板２０２との間に、断熱材としての真空断熱パネル３０を設けて構成されている。
【００１５】
外板２０１は、金属製の薄板で構成されている。外板２０１は、冷蔵庫１０の庫外側の面を構成する。内板２０２は、合成樹脂製の薄板で構成され、弾性変形が可能となっている。内板２０２は、冷蔵庫１０の庫内側の面を構成する。本実施形態の場合、側部断熱壁２１は、断熱材として真空断熱パネル３０に加えて、発泡断熱材４０を有している。発泡断熱材４０は、例えばウレタンフォーム等で構成されており、外板２０１と内板２０２との間において真空断熱パネル３０が存在していない隙間部分に充填されている。
【００１６】
真空断熱パネル３０は、冷蔵庫１０の庫内、つまり各貯蔵室である冷蔵室１１、野菜室１２、製氷室１３、小冷凍室１４、及び冷凍室１５を断熱対象としている。真空断熱パネル３０は、全体として上下方向に長い矩形の板状に構成されている。なお、以下の説明において、真空断熱パネル３０の端部近傍とは、例えば真空断熱パネル３０の周囲の端部から例えば１０ｃｍの領域を意味する。真空断熱パネル３０は、図５に示すように、外板２０１及び内板２０２のうち少なくとも一方の面に、ホットメルトなどの図示しない接着剤を介して接着固定されている。本実施形態の場合、真空断熱パネル３０は、内板２０２と離間した状態で、外板２０１にホットメルトを介して接着固定されている。そして、内板２０２と真空断パネル３０との間に、発泡断熱材４０が設けられている。なお、真空断熱パネル３０は、内板２０２にホットメルトを介して接着固定する構成でも良い。また、真空断熱パネル３０は、接着剤に換えて、両面テープなどを用いて外板２０１又は内板２０２に接着固定する構成でもよい。
【００１７】
冷蔵庫１０は、図２〜図６に示すように、配管部材１６を備えている。配管部材１６は、図示しない冷凍サイクルを構成する部材であって、例えば図示しない蒸発器とコンプレッサとを繋ぐサクションパイプなどであり、例えば剛性を有する金属管などで構成されている。配管部材１６は、外板２０１と内板２０２との間でかつ真空断熱パネル３０と外板２０１との間に設けられている。本実施形態の場合、配管部材１６は、側部断熱壁２１及び背部断熱壁２２の内部に設けられている。
【００１８】
配管部材１６は、図２において破線で示すように、左右の側部断熱壁２１内において外板２０１と内板２０２との間に設けられている。この場合、配管部材１６は、側部断熱壁２１の上下方向に延びている。図２に図示した例では、配管部材１６は、側部断熱壁２１の下部において後方から前方へ向けて延びた後、前後方向の中心よりも前側の位置において上方へ向けて曲がって上端部へ向けて延びている。その後、配管部材１６は、側部断熱壁２１の上端部で後方へ向けて曲がり更に下方へ向けて折れ曲がるようにして折り返している。そして、配管部材１６は、下端部へ向けて延びた後、後方へ向けて折れ曲がり側部断熱壁２１の下方後方へ戻るように延びている。このように、配管部材１６は、側部断熱壁２１内において上下方向に一往復するように引き回されている。この場合、配管部材１６のうち上下方向に延びる部分は、側部断熱壁２１の幅方向の中央部分を挟むようにして並行して配置されている。
【００１９】
なお、配管部材１６の数や形状は、図２に図示したものに限らない。すなわち、配管部材１６は上下方向に一往復しなくても良い。また、配管部材１６は、いわゆる矩形波形状のように、上下方向に二往復以上して配置されていても良い。また、配管部材１６は側部断熱壁２１の幅方向に一回以上往復して配置されていても良い。
【００２０】
なお、図５に示すように、配管部材１６は、背部断熱壁２２の内部にも設けられている。この場合、図５に示す例では、発泡断熱材４０は、背部断熱壁２２の外板２０１と内板１１２との間には充填されていない。しかしながら、真空断熱パネル３０及び配管部材１６が存在していない部分に、発泡断熱材４０が充填されていても良い。
【００２１】
真空断熱パネル３０は、図３及び図４に示すように、溝３０１、段部３０２、及び薄肉部３０３を有している。溝３０１は、真空断熱パネル３０のコア材２１を窪ませて形成された溝であって、上下方向に延びている。この場合、真空断熱パネル３０は、少なくとも２つの溝３０１を有している。この２つの３０１は、並行して上下方向へ延びている。配管部材１６の配置経路に沿って設けられている。配管部材１６のうち上下方向に延びる部分は、溝３０１に沿って溝３０１内に配置されている。溝３０１の深さ寸法は、図６に示すように配管部材１６の直径以上に設定されている。
【００２２】
段部３０２は、図３及び図４に示すように、真空断熱パネル３０の上下の縁部分に設けられた段差形状に形成された部分である。薄肉部３０３は、段部３０２の上下側の領域であり、真空断熱パネル３０の厚みが薄い部分である。配管部材１６のうち真空断熱パネル３０に沿って水平方向に延びる部分は、薄肉部３０３に接して段部３０２と並行に配置されている。また、詳細は図示しないが、薄肉部３０３の周囲つまり薄肉部３０３と外板２０１との間には発泡断熱材４０が充填されている。
【００２３】
なお、詳細は図示しないが、冷蔵室扉１１１、１１２、野菜室扉１２１、製氷室扉１３１、小冷凍室扉１４１、及び冷凍室扉１５１の縁部には、防露用の図示しない露取り用ヒーターが設けられている。そして、露取り用ヒーターの代わりに、比較的高温の冷媒が流れる配管部材１６を設けても良い。
【００２４】
また、真空断熱パネル３０は、図３、図４、及び図６等に示すように、外包材３１、コア材３２、及び複数の吸着材５０を有している。外包材３１は、例えばアルミ蒸着フィルムなどのガスバリア性を有する材料によって袋状に構成されている。この場合、外包材３１は、一枚のシート状の部材を折り曲げて、周囲部分を接着することにより袋状に形成されている。コア材３２は、例えばグラスウールやグラスファイバ、樹脂繊維などの無機繊維を積層して板状に成形したものである。真空断熱パネル３０は、外包材３１の内部にコア材３２を収容し、外包材３１の内部を真空減圧した状態でその外包材３１を密閉することで構成される。
【００２５】
外包材３１は、図６に示すように耳部３１１を有している。耳部３１１は、外包材３１の外周部分のうち、コア材３２を外包材３１に収容しかつ真空減圧する前の状態においてコア材３２よりも外側に位置する部分である。耳部３１１は、真空断熱パネル３０の中心側へ折り返されて、外包材３１のうち対向する部分に熱溶着やテープなどによって貼付けられている。本実施形態の場合、耳部３１１は、外板２０１側に位置している。
【００２６】
吸着材５０は、水蒸気や、窒素及び酸素など気体成分つまりガス成分を吸着する性質を有しており、例えばシリカゲル、ゼオライト、酸化カルシウム、酸化マグネシウムなどで構成されている。吸着材５０は、粒状又は粉状の材料を不織布等で構成された袋に封入したものでも良いし、粉状の材料を円柱形状のタブレット状に焼結させた固形状のものであって、一面が開口した金属製の容器に収納したものでも良い。複数の吸着材５０は、同一の種類のものであっても良く、異なる種類のものであっても良い。
【００２７】
また、吸着材５０の厚み寸法は、真空断熱パネル３０の厚み寸法の４分の１以上に設定されている。本実施形態の場合、例えば、真空断熱パネル３０の厚み寸法が１０〜２０ｍｍであるならば、吸着材５０の厚み寸法は５〜１０ｍｍ程度と真空断熱パネル３０の厚み寸法の半分程度に設定されている。
【００２８】
複数の吸着材５０は、真空断熱パネル３０内の少なくとも２つの異なる領域に設けられている。この場合、異なる領域とは、１つの真空断熱パネル３０内において、要求される断熱性能が異なる領域や、真空断熱パネル３０自身の断熱性が異なる領域を意味する。すなわち、異なる領域とは、断熱対象である貯蔵室の温度帯が異なる領域、又は真空断熱パネル３０自身の断熱性が異なる領域、若しくは断熱対象である貯蔵室への断熱性の影響が異なる領域、などである。つまり、複数の吸着材５０のうち少なくとも２つは、それぞれ断熱対象の温度帯、又は断熱性、若しくは断熱対象への断熱性の影響、いずれかが異なる領域に設けられている、本実施形態の場合、複数の吸着材５０は、庫内の冷却に対して真空断熱パネル３０による断熱の影響が極力小さいと思われる箇所、又は真空断熱パネル３０の大部分に対して他の部分よりも厚みが薄いなどにより断熱性が劣っている箇所に、それぞれ設けられている。
【００２９】
例えば、真空断熱パネル３０において、冷蔵温度帯の貯蔵室１１、１２と重なる領域と、冷凍温度帯の貯蔵室１３、１４、１５と重なる領域とでは、冷凍温度帯の貯蔵室１３、１４、１５と重なる領域の方が、高い断熱性能が要求される。そのため、冷蔵温度帯の貯蔵室１１、１２と重なる領域と、冷凍温度帯の貯蔵室１３、１４、１５と重なる領域とは、異なる領域となる。
【００３０】
また、例えば真空断熱パネル３０において、薄肉部３０３の領域と、薄肉部３０３以外の領域とでは、薄肉部３０３の方がコア材３２の厚みが薄い。このため、薄肉部３０３の領域は、薄肉部３０３以外の領域に対して断熱性能が低い流域つまり断熱性能が劣っている領域である。したがって、薄肉部３０３の領域と、薄肉部３０３以外の領域とでは、異なる領域となる。
【００３１】
また、真空断熱パネル３０において、周囲の端部つまり縁部は、外包材３１を伝って熱が回り込み易い。このため、真空断熱パネル３０の周囲の縁部の領域は、中央部分の領域に比べて断熱性能が低い領域つまり断熱性能が劣っている領域である。したがって、真空断熱パネル３０の周囲の縁部の領域と中央部分の領域とでは、異なる領域となる。
【００３２】
更に、非断熱仕切り壁２５及び断熱仕切り壁２６に対する断熱は、断熱対象である各貯蔵室１１〜１５の周囲を直接的に断熱することに対して、各貯蔵室１１〜１５内の冷却に対する影響が小さい。そのため、非断熱仕切り壁２５又は断熱仕切り壁２６と重なる領域と、各貯蔵室１１〜１５と重なる領域とでは、断熱対象である各貯蔵室１１〜１５への断熱性の影響が異なっている。したがって、非断熱仕切り壁２５又は断熱仕切り壁２６と重なる領域と、各貯蔵室１１〜１５と重なる領域とでは、異なる領域となる。
【００３３】
本実施形態の場合、真空断熱パネル３０は、複数の吸着材５０として少なくとも２つの吸着材５１、５２を備える。この場合、真空断熱パネル３０は、少なくとも２つの異なる種類の吸着材５１、５２を備える。この場合、２種類の吸着材５１、５２のうち一方の吸着材５１は、冷蔵温度帯の貯蔵室と少なくとも一部が重なる領域、例えば冷蔵室１１と重なる領域に設けられている。また、２種類の吸着材５１、５２のうち他方の吸着材５２は、冷凍温度帯の貯蔵室と少なくとも一部が重なる領域、例えば製氷室１３又は小冷凍室１４と重なる領域に設けられている。
【００３４】
また、２種類の吸着材５１、５２のうち少なくとも一方は、配管部材１６に囲まれた内側の領域に設けられている。本実施形態の場合、２種類の吸着材５１、５２のうちいずれも、配管部材１６のうち上下方向に延びる部分及び水平方向に延びる部分で囲まれた内側の領域に設けられている。すなわち、２種類の吸着材５１、５２のいずれも、前後及び上下が配管部材１６に囲まれた領域の内側の領域に設けられている。
【００３５】
本実施形態の場合、２種類の吸着材５１、５２のうち、吸着材５１は、主に水蒸気成分を吸着する乾燥材で構成されている。また、２種類の吸着材５１、５２のうち、吸着材５１は、主に酸素や窒素などの水蒸気成分以外の気体成分を吸着するゲッタ材で構成されている。この場合、吸着材５１を乾燥材５１と称することがあり、また、吸着材５２をゲッタ材５２と称することがある。乾燥材５１は、例えば不織布で形成された袋内に粒状のシリカゲル等の薬剤を収容して構成されている。なお、ゲッタ材５２は、粉状の材料を円柱形状のタブレット状に焼結させた固形状のものであって、一面が開口した金属製の容器に収納したものでも良い。
【００３６】
そして、本実施形態の場合、真空断熱パネル３０は、４つの乾燥材５１と、２つのゲッタ材５２と、を有している。４つの乾燥材５１は、いずれも冷蔵温度帯の貯蔵室と重なる領域、例えば冷蔵室１１と重なる領域であって、真空断熱パネル３０の中央部つまり端部及び薄肉部３０３以外の領域に設けられている。また、２つのゲッタ材５２は、いずれも冷凍温度帯の貯蔵室と重なる領域、例えば製氷室１３又は小冷凍室１４と重なる領域であって、真空断熱パネル３０の中央部つまり端部及び薄肉部３０３以外の領域に設けられている。
【００３７】
また、吸着材５０は、図６に示すように、コア材３２の表面に露出しない態様でコア材３２の内部に埋め込まれている。すなわち、本実施形態の場合、コア材３２は、複数の収容部３２１及び蓋部３２２を有している。収容部３２１は、コア材３２の一部をくり抜いて形成された非貫通の穴つまり窪みである。つまり、収容部３２１は、周囲をコア材３２に囲まれた空間であって、コア材３２の厚み方向に対してほぼ中央部に形成されている。吸着材５０は、収容部３２１内に収容されている。
【００３８】
蓋部３２２は、収容部３２１内に吸着材５０を収容した状態で収容部３２１の開口部分に埋め込まれて、吸着材５０を覆っている。蓋部３２２は、コア材３２と同じ素材、例えばグラスウールやグラスファイバ、樹脂繊維などの無機繊維で構成されている。この場合、収容部３２１及び蓋部３２２の形状は、真空断熱パネル３０の面方向について見ると、吸着材５０の外形形状と同一形状に形成されている。本実施形態の場合、収容部３２１及び蓋部３２２、例えば矩形状、この場合正方形状に構成されている。また、コア材３２における外板２０１側の面は、蓋部３２２部分を含めて全体として平坦に形成されている。
【００３９】
以上説明した実施形態によれば、冷蔵庫１０は、断熱性を有する断熱箱体２０を備えている。断熱箱体２０は、内部に貯蔵室として冷蔵室１１、野菜室１２、製氷室１３、小冷凍室１４、及び冷凍室１５を有している。断熱箱体２０を構成する断熱壁２１、２２、２３、２４のうち側面を構成する側部断熱壁２１及び背面を構成する背部断熱壁２２少なくとも一方は、外板２０１と内板２０２との間に真空断熱パネル３０を設けて構成されている。
【００４０】
そして、真空断熱パネル３０は、外包材３１と、コア材３２と、複数この場合６つの吸着材５０と、を有している。外包材３１は、真空断熱パネル３０の外殻を構成する。コア材３２は、外包材３１に内包されている。そして、複数の吸着材５０は、気体成分を吸着する性質を有しており、コア材３２と共に外包材３１に内包されている。そして、複数の吸着材５０は、真空断熱パネル３０内の少なくとも２つの異なる領域に設けられている。
【００４１】
ここで、吸着材５０は、真空断熱パネル３０よりも熱を伝導し易く断熱性が低い。そのため、コア材３２の内部に吸着材５０を設けると、この吸着材５０が設けられた部分は真空断熱パネル３０としての性能が低下してしまう可能性がある。そのため、複数の吸着材５０を、真空断熱パネル３０の同一の領域に設けると、その領域の断熱性の低下が大きくなって冷蔵庫１０の庫内に与える影響が大きい。
【００４２】
これに対し、本実施形態の複数の吸着材５０は、真空断熱パネル３０内の少なくとも２つの異なる領域に設けられている。この場合、複数の吸着材５０のうち少なくとも２つは、それぞれ断熱対象の温度帯、又は断熱性、若しくは断熱対象である貯蔵室１１〜
１５への断熱性の影響、いずれかが異なる領域に設けられている。この構成によれば、真空断熱パネル３０の特定の領域の断熱性能が低下することを抑制できる。したがって、真空断熱パネル３０の内部に複数の吸着材５０を設けて真空断熱パネル３０の真空度を長期的に維持しつつ、複数の吸着材５０が断熱箱体２０の特定の領域の断熱性に及ぼす影響を極力抑制することができる。
【００４３】
本実施形態において、複数この場合６つの吸着材５０のうちの少なくとも１つ、この場合４つの乾燥材５１は、冷蔵温度帯の貯蔵室である冷蔵室１１と重なる領域に設けられている。また、６つの吸着材５０のうち少なくとも他の１つ、この場合２つのゲッタ材５２は、冷凍温度帯の貯蔵室である製氷室１３又は小冷凍室１４と重なる領域に設けられている。すなわち、吸着材５１、５２のうち、乾燥材５１は冷蔵温度帯の貯蔵室１１と重なる領域に設けられており、ゲッタ材５２は、冷凍温度帯の貯蔵室１３、１４と重なる領域に設けられている。
【００４４】
この構成によれば、真空断熱パネル３０の特定の領域、この場合、冷蔵温度帯の貯蔵室１１と重なる領域、または冷凍温度帯の貯蔵室１３、１４と重なる領域の一方のみ断熱性能が大きく低下することを抑制できる。したがって、真空断熱パネル３０の内部に複数の吸着材５０を設けて真空断熱パネル３０の真空度を長期的に維持しつつ、複数の吸着材５０が断熱箱体２０の特定の領域の断熱性に及ぼす影響を極力抑制することができる。
【００４５】
また、本実施形態において、複数この場合６つの吸着材５０のうちの少なくとも１つ、この場合４つの乾燥材５１は、冷蔵温度帯の貯蔵室である冷蔵室１１と重なる領域に設けられている。また、６つの吸着材５０のうち少なくとも他の１つ、この場合２つのゲッタ材５２は、配管部材１６に囲まれた内側の領域に設けられている。すなわち、吸着材５１、５２のうち、乾燥材５１は冷蔵温度帯の貯蔵室１１と重なる領域に設けられており、ゲッタ材５２は、配管部材１６に囲まれた内側の領域に設けられている。なお、本実施形態の場合、乾燥材５１も配管部材１６に囲まれた内側の領域に設けられている。
【００４６】
ここで、一般に吸着材５０は、真空圧縮した後のコア材３２よりも剛性が低い。このため、吸着材５０をコア材３２に埋め込むとコア材３２の剛性つまり真空断熱パネル３０の剛性が低下することが懸念される。そして、コア材３２の剛性が低下すると、真空断熱パネル３０を製造する際にコア材３２が崩れたり、真空断熱パネル３０にそりが生じたりして不良が生じる可能性がある。その結果、断熱箱体２０の外観不良や性能不良が生じるおそれがある。
【００４７】
これに対し、配管部材１６は、金属管などで構成されて剛性を有している。このため、真空断熱パネル３０のうち配管部材１６で囲まれた内側部分は、配管部材１６の外側部分に比べて剛性が高い。したがって、吸着材５０を配管部材１６で囲まれた内側の領域に設けることで、吸着材５０を配管部材１６で囲まれた外側の領域に設けた場合に比べて、真空断熱パネル３０の剛性を維持することができる。これにより、真空断熱パネル３０を製造する際にコア材３２が崩れたり、真空断熱パネル３０にそりが生じたりして不良が生じることを防ぐことができる。その結果、断熱箱体２０の外観不良や性能不良が生じることを防ぐことができる。
【００４８】
また、本実施形態において、真空断熱パネル３０は、冷蔵温度帯の貯蔵室である冷蔵室１１と重なる領域に設けられる吸着材５０として、とりわけ水蒸気成分を吸着する乾燥材５１を備えている。また、真空断熱パネル３０は、冷凍温度帯の貯蔵室である冷凍室１５と重なる領域に設けられる吸着材５０として、とりわけ窒素や酸素などの水蒸気成分以外の気体成分を吸着するゲッタ材５２を備えている。
【００４９】
ここで、冷蔵温度帯の貯蔵室１１、１２の内部の庫内温度は、実測温度としては０度以上と０度未満とを遷移することがある。一方で、冷凍温度帯の貯蔵室１３、１４、１５の内部の庫内温度は、実測温度でも常に０度以下となる様に設定されている。そのため、真空断熱パネル３０は、冷凍温度帯の貯蔵室１３、１４、１５と重なる領域に比較して、冷蔵温度帯の貯蔵室１１、１２と重なる領域において結露が生じやすい。
【００５０】
本実施形態では、真空断熱パネル３０は、冷蔵温度帯の貯蔵室である冷蔵室１１と重なる領域に、主に水蒸気成分を吸着する乾燥材５１を備えているため、真空断熱パネル３０内に生じた結露の水分を効率よく吸着することができる。
【００５１】
（第２実施形態）
次に、第２実施形態について図７〜図１０を参照して説明する。本実施形態では、上記２種類の吸着材５１、５２のうち、吸着材５２の位置が異なる。本実施形態において、２種類の吸着材５１、５２のうち一方の吸着材５１つまり乾燥材５１は、冷蔵温度帯の貯蔵室である冷蔵室１１と重なる領域に設けられている。一方、２種類の吸着材５１、５２のうち他方の吸着材５２つまりゲッタ材５２は、少なくとも一部が冷凍温度帯の貯蔵室この場合冷凍室１５と重なる領域に設けられている。
【００５２】
また、この場合、ゲッタ材５２は、真空断熱パネル３０の下端部の近傍の領域に設けられている。この場合、真空断熱パネル３０の下端部の近傍の領域とは、真空断熱パネル３０の下端部から１０ｃｍの領域を意味する。また、本実施形態の場合、ゲッタ材５２は、図８にも示すように、配管部材１６と重なる領域に設けられている。また、図８に示すように、ゲッタ材５２の少なくとも一部、この場合ゲッタ材５２の全部は、耳部３１１と重なる領域に設けられている。また、２つのゲッタ材５２は、真空断熱パネル３０の中央部よりも薄い薄肉部３０３の領域内に設けられている。
【００５３】
真空断熱パネル３０は、例えば図９及び図１０に示すように、次のようにして製造される。簡単のために、１つの吸着材５０について図示するが、複数であっても製造方法は同様である。まず、コア材３２に吸着材５０を埋め込むために、図９（Ａ）〜（Ｄ）に示す工程が順に実行される。まず、図９（Ａ）に示すように、シート状に形成されたグラスウールが複数層積層される。この工程では、金型によってコア材３２を窪ませることにより溝３０１も形成される。次に、図９（Ｂ）に示すように、コア材３２の一部がくり抜かれて、コア材３２の内部に収容部３２１が形成される。
【００５４】
次に、図９（Ｃ）に示すように、吸着材５０が収容部３２１内に配置され、その後、図９（Ｂ）で取り除かれたグラスウールの一部が蓋部３２２として、吸着材５０を覆うように配置される。これにより、図９（Ｄ）に示すように、蓋部３２２によって収容部３２１に蓋がされて、コア材３２に吸着材５０が埋め込まれる。
【００５５】
次に、図１０（Ａ）〜（Ｄ）に示す工程が順に実行される。この場合、図１０（Ａ）に示す外包材３１は、一辺部に開口部３１２を有し、他の辺部が接着されて袋状に形成されたものである。図１０（Ａ）に示すように、コア材３２は、袋状の外包材３１内の開口部３１２から外包材３１の内部に挿入される。
【００５６】
その後、図１０（Ｂ）、（Ｃ）に示すように、外包材３１の内部を真空減圧する。この真空減圧の際、コア材３２は圧縮される。そして、外包材３１の内部を減圧した状態で外包材３１の開口部３１２を熱溶着して密閉する。この際、コア材３２からはみ出して熱圧着された部分が耳部３１１として形成される。そして、図１０（Ｄ）に示すように、耳部３１１を真空断熱パネル３０の中心側へ折り返して、粘着テープ又は接着材によって真空断熱パネル３０に接着する。このようにして、真空断熱パネル３０が製造される。
【００５７】
なお、外包材３１は、コア材３２を収容する際に袋状となっていなくても良い。すなわち、外包材３１は、コア材３２を収容する際に、外周の縁部がいずれも溶着されていないシート状であっても良い。また、外包材３１は、向かい合う２つの縁部が溶着された筒状であっても良く、更には直交する２つの縁部が溶着された半袋状となっていても良い。
【００５８】
この第２実施形態によれば、複数の吸着材５０のうちの少なくとも１つ、この場合４つの乾燥材５１は、冷蔵温度帯の貯蔵室である冷蔵室１１と重なる領域に設けられている。また、複数の吸着材５０のうちの少なくとも他の１つ、この場合２つのゲッタ材５２は、真空断熱パネル３０の下端部近傍の領域に設けられている。すなわち、２種類の吸着材５０のうち、一方の吸着材５０である乾燥材５１は、冷蔵温度帯の貯蔵室と重なる領域に設けられ、他方の吸着材５０であるゲッタ材５２は、真空断熱パネル３０の下端部近傍の領域に設けられている。
【００５９】
この場合、冷蔵庫１０に用いられる真空断熱パネル３０において、真空断熱パネル３０の中央部の断熱性は、冷蔵庫１０の庫内の冷却に与える影響が大きい。つまり、真空断熱パネル３０は、当該真空断熱パネル３０の中央部により高い断熱性能が要求される。一方、真空断熱パネル３０の端部は、冷蔵庫１０の庫内の冷却に与える影響はそれほど大きくない。この場合、真空断熱パネル３０の中央部つまり配管部材１６に囲まれた領域であって薄肉部３０３以外の領域を、真空断熱パネル３０の全体のうち庫内の冷却に対して断熱性の影響が大きい領域に設定している。また、真空断熱パネル３０の端部近傍の領域、例えば上下の薄肉部３０３の領域を、真空断熱パネル３０の全体のうち庫内の冷却に対して断熱性の影響が小さい領域に設定している。
【００６０】
また、ゲッタ材５２は、上述したように例えば金属製の容器に入れられていることが多い。このため、ゲッタ材５２を真空断熱パネル３０に設けると、金属容器の熱伝導によって真空断熱パネル３０の断熱性の低下が懸念される。そして、ゲッタ材５２を真空断熱パネル３０に設けると、その断熱性の低下によって冷蔵庫１０の庫内に与える影響がより大きくなる。
【００６１】
これに対し、本実施形態の２種類の吸着材５０のうち少なくともゲッタ材５２は、真空断熱パネル３０の全体のうち庫内の冷却に対して断熱性の影響が小さい領域、又は真空断熱パネル３０の全体のうち断熱性が劣っている領域に設けられている。すなわち、冷蔵庫１０に用いられる真空断熱パネル３０において、真空断熱パネル３０の外周部の断熱性は、冷蔵庫１０の庫内に与える影響が比較的小さい。そのため、実施形態の冷蔵庫１０において、ゲッタ材５２は、真空断熱パネル３０の下端部近傍に設けられている。この構成によれば、庫内の断熱性に大きく寄与する真空断熱パネル３０の中央部分の断熱性能が、ゲッタ材５２によって低下することを抑制できる。したがって、真空断熱パネル３０の内部に吸着材５０を設けて真空断熱パネル３０の真空度を長期的に維持しつつ、ゲッタ材５２が断熱箱体２０の断熱性に及ぼす影響を極力抑制することができる。
【００６２】
また、複数の吸着材５０のうちの少なくとも１つ、この場合、２つのゲッタ材５２は、配管部材１６と重なる領域に設けられている。この場合、真空断熱パネル３０のうち配管部材１６と重なる領域は、配管部材１６を配置するための溝３０１が設けられていることから、他の領域に比べてコア材３２が薄い。したがって、真空断熱パネル３０のうち配管部材１６と重なる領域は、そもそも断熱性が悪く、その領域の断熱性が庫内の冷却に寄与する割合も小さい。このため、配管部材１６と重なる領域に吸着材５０を設けたとしても、そもそも断熱性が悪いため、庫内の冷却に与える影響は小さい。
【００６３】
したがって、この構成によれば、真空断熱パネル３０の複数の吸着材５１、５２を設けつつ、ゲッタ材５２が庫内の断熱性に大きく寄与する真空断熱パネル３０の中央部分の断熱性能が低下することを抑制できる。これにより、真空断熱パネル３０の内部に複数の吸着材５０を設けて真空断熱パネル３０の真空度を長期的に維持しつつ、複数の吸着材５０が断熱箱体２０の断熱性に及ぼす影響を極力抑制することができ、その結果、真空断熱パネル３０の長期の信頼性を維持することができる。
【００６４】
また、外包材３１は、耳部３１１を有している。耳部３１１は、コア材３２からはみ出た部分をコア材３２に沿って折り返して形成されている。そして、本実施形態の場合、吸着材５１、５２のうち、ゲッタ材５２は、その一部が耳部３１１と重なる領域に設けられている。すなわち、ゲッタ材５２は、図８に示すように、外包材３１の下側の耳部３１１と重なる位置に設けられている。
【００６５】
ここで、外包材３１は、気密性を確保するために、アルミ蒸着シートのような熱伝導性の材料で構成されている。このため、耳部３１１が折り返された部分は、アルミ蒸着層のような金属層が重なることになり、その結果、耳部３１１が存しない他の部分に比較して断熱性能に劣りやすい傾向がある。そのため、本実施形態において、ゲッタ材５２は、貯蔵庫内の断熱に特に寄与すると考えられる真空断熱パネル３０の耳部３１１が設けられていない部分ではなく、耳部３１１と重なる部分に設けられている。
【００６６】
これにより、高い断熱性能が必要となる真空断熱パネル３０の中央付近の断熱性能を、外殻が金属製の容器で構成されているゲッタ材５２を設けることによって必要以上に低下させることがない。その結果、真空断熱パネル３０の内部に複数の吸着材５０を設けて真空断熱パネル３０の真空度を長期的に維持しつつ、複数の吸着材５０が断熱箱体２０の断熱性に及ぼす影響を極力抑制することができ、ひいては真空断熱パネル３０の信頼性を長期に維持することができる。
【００６７】
また、この場合、吸着材５０のうちゲッタ材５２は、真空断熱パネル３０の中央部よりも厚みが薄い薄肉部３０３に設けられている。薄肉部３０３は、真空断熱パネル３０の中央部よりも厚みが薄いため、断熱性能も低い。このように、ゲッタ材５２をもともと断熱性能の低い薄肉部３０３に設けることで、真空断熱パネル３０の中央部の断熱性に与える影響を極力小さくすることができる。
【００６８】
（第３実施形態）
次に、第３実施形態について図１１を参照して説明する。
本実施形態の場合では、ゲッタ材５２の位置が上記各実施形態と異なる。すなわち、本実施形態の場合、複数の吸着材のうちの少なくとも１つ、この場合４つの乾燥材５１は、冷蔵温度帯の貯蔵室である野菜室１２と重なる領域に設けられている。また、複数の吸着材のうちの少なくとも他の１つ、この場合２つのゲッタ材５２は、真空断熱パネル３０の上端部近傍の領域に設けられている。この場合、真空断熱パネル３０の上端部の近傍の領域とは、真空断熱パネル３０の下端部から１０ｃｍの領域を意味する。また、複数の吸着材５０のうちの少なくとも１つ、この場合、２つのゲッタ材５２は、配管部材１６に囲まれた外側の領域に設けられている。
これによっても、上記第２実施形態と同様の作用効果が得られる。
【００６９】
また、複数の吸着材５０のうちの少なくとも１つ、この場合、２つのゲッタ材５２は、配管部材１６に囲まれた外側の領域に設けられている。これによれば、真空断熱パネル３０において配管部材１６の外側は、真空断熱パネル３０の端部に近いため、上述したように庫内の冷却に対して真空断熱パネル３０による断熱の影響が極力小さいと思われる。更に真空断熱パネル３０において配管部材１６の外側は、配管部材１６からの放熱の影響によって、真空断熱パネル３０の中央部付近よりも断熱性能が劣っていることから、更に断熱性が低下しても庫内の冷却に与える影響は小さいと思われる。したがって、本実施形態によれば、吸着材５０が断熱箱体２０の断熱性に及ぼす影響を更に効果的に抑制することができる。
なお、本実施形態において２つのゲッタ材５２は、薄肉部３０３にあって、配管部材１６と重ならない領域に設けられているが、配管部材１６と重なる領域に設けても良い。
【００７０】
（第４実施形態）
次に、第４実施形態について図１２を参照して説明する。
本実施形態の場合、真空断熱パネル３０は、吸着材５０として、上記各実施形態の２つのゲッタ材５２に換えて４つのゲッタ材５２１、５２２、５２３、５２４を有している。４つのゲッタ材５２１、５２２、５２３、５２４のうち、２つのゲッタ材５２１、５２２は、冷蔵温度帯の貯蔵室１１、１２と重なる領域であって、冷蔵室１１と野菜室１２との間に設けられた非断熱仕切り壁２５と少なくとも一部が重なる領域に設けられている。この場合、２つのゲッタ材５２１、５２２は、配管部材１６に囲まれた領域の内側に設けられている。
【００７１】
また、４つのゲッタ材５２１、５２２、５２３、５２４のうち、他の２つのゲッタ材５２３、５２４は、冷蔵温度帯の貯蔵室１２と冷凍温度帯の貯蔵室１３、１４のとの間に設けられた断熱仕切り壁２６と少なくとも一部が重なる領域に設けられている。この場合、２つのゲッタ材５２３、５２４は、配管部材１６で囲まれた領域の外側に設けられている。
【００７２】
また、２つのゲッタ材５２３、５２４うち一方のゲッタ材５２３は、真空断熱パネル３０の前端部近傍の領域に設けられている。また、２つのゲッタ材５２３、５２４うち他方のゲッタ材５２４は、真空断熱パネル３０の後端部近傍の領域に設けられている。この場合、真空断熱パネル３０の前端部近傍の領域とは、真空断熱パネル３０の前端部から１０ｃｍの範囲の領域を意味する。また、真空断熱パネル３０の後端部近傍の領域とは、真空断熱パネル３０の後端部から１０ｃｍの範囲の領域を意味する。
【００７３】
また、２つのゲッタ材５２３、５２４うち一方のゲッタ材５２３は、耳部３１１と少なくとも一部が重なる領域に設けられている。また、２つのゲッタ材５２３、５２４うち他方のゲッタ材５２４は、耳部３１１と少なくとも一部が重なる領域に設けられている。
【００７４】
本実施形態の場合、真空断熱パネル３０の前端部及び後端部近傍を、真空断熱パネル３０の全体のうち庫内の冷却に対して断熱性の影響が小さい箇所、及び真空断熱パネル３０の全体のうち断熱性が劣っている領域であると設定している。また、真空断熱パネル３０において、非断熱仕切り壁２５と重なる領域、及び断熱仕切り壁２６と重なる領域を、真空断熱パネル３０の全体のうち庫内の冷却に対して断熱性の影響が小さい領域であると設定している。
【００７５】
本実施形態において、ゲッタ材５２１、５２２は、真空断熱パネル３０の上下方向の中央部近傍、具体的には、冷蔵室１１と野菜室１２との間に設けられた非断熱対象である非断熱仕切り壁２５と少なくとも一部が重なる位置に設けられている。この場合、非断熱仕切り壁２５の側方部分は、いずれの貯蔵室１１、１２、１３、１４、１５とも重なっていないため、それほど高い断熱性を必要としない。そのため、ゲッタ材５２１、５２２を、冷蔵室１１と野菜室１２との間に設けられた非断熱仕切り壁２５と重なる位置に設けることで、貯蔵室１１、１２、１３、１４、１５に与える影響を極力小さくすることができる。
【００７６】
また、本実施形態では、真空断熱パネル３０において、断熱仕切り壁２６と重なる位置を、真空断熱パネル３０の全体のうち庫内の冷却に対して断熱性の影響が小さい領域であると設定している。そして、ゲッタ材５２３、５２４は、断熱仕切り壁２６の少なくとも一部が重なる領域に設けられている。すなわち、断熱仕切り壁２６が断熱性を有しているため、ゲッタ材５２３、５２４を真空断熱パネル３０において断熱仕切り壁２６と重なる位置に設けることで、少なくともゲッタ材５２３、５２４を設けたことにより貯蔵室１１、１２、１３、１４、１５に与える影響を極力小さくすることができる。
【００７７】
また、本実施形態では、真空断熱パネル３０の前端部及び後端部近傍を、真空断熱パネル３０の全体のうち庫内の冷却に対して断熱性の影響が小さい領域、及び真空断熱パネル３０の全体のうち断熱性が劣っている領域であると設定している。すなわち、側部断熱壁２１の前後の端部には、真空断熱パネル３０が設けられていない空間が存在する。このため、側部断熱壁２１の前後の端部は、中央付近よりも断熱性能に劣っている。更に、側部断熱壁２１の前端部は、各扉１１１、１１２、１２１、１３１、１４１、１５１に設けられた図示しない防露部材の近傍となる。つまり、側部断熱壁２１に設けられた真空断熱パネル３０において、前端部は、前後方向の中央部分に比較してやや温度が上昇し易い。
【００７８】
これに対し、ゲッタ材５２３は、側部断熱壁２１に設けられた真空断熱パネル３０の前端部近傍に設けられている。また、ゲッタ材５２４は、側部断熱壁２１に設けられた真空断熱パネル３０の後端部近傍に設けられている。この構成によれば、少なくともゲッタ材５２３、５２４を庫内の断熱性に大きく寄与する真空断熱パネル３０の中央部に設けた場合に比べて断熱性能が低下することを抑制できる。したがって、真空断熱パネル３０の内部に複数の吸着材５０を設けて真空断熱パネル３０の真空度を長期的に維持しつつ、複数の吸着材５０が断熱箱体２０の断熱性に及ぼす影響を極力抑制することができる。
【００７９】
（第５実施形態）
次に、第５実施形態について図１３を参照して説明する。
本実施形態では、ゲッタ材５２１、５２２、５２３、５２４の配置が上記第４実施形態と異なる。すなわち、本実施形態においてゲッタ材５２１、５２２は、非断熱仕切り壁２５と少なくとも一部が重なる領域であって、配管部材１６で囲まれた領域の外側の領域に設けられている。また、この場合、ゲッタ材５２１は、真空断熱パネル３０の前端部近傍の領域設けられており、ゲッタ材５２２は、真空断熱パネル３０の後端部近傍の領域に設けられている。また、ゲッタ材５２３、５２４は、非断熱対象である断熱仕切り壁２６と少なくとも一部が重なる領域であって、配管部材１６で囲まれた内側の領域に設けられている。
これによっても、上記第４実施形態と同様の作用効果が得られる。
【００８０】
（第６実施形態）
次に、図１４を参照して第６実施形態について説明する。
本実施形態は、上記各実施形態における吸着材５０を、断熱箱体２０の背面を構成する背部断熱壁２２に設けられた真空断熱パネル３０に適用した例である。本実施形態の真空断熱パネル３０は、複数の吸着材５０として、上記第５実施形態と同様に、４つの乾燥材５１と、４つのゲッタ材５２５、５２５、５２６、５２６と、を有している。
【００８１】
この場合、４つの乾燥材５１は、上記各実施形態と同様に、冷蔵温度帯の貯蔵室である冷蔵室１１と重なる領域に設けられている。また、２つのゲッタ材５２５、５２５は、上記第４実施形態及び第５実施形態のゲッタ材５２１、５２２と同様に、非断熱仕切り壁２５と少なくとも一部が重なる領域に設けられている。そして、他の２つのゲッタ材５２６、５２６は、上記第４実施形態及び第５実施形態のゲッタ材５２３、５２４と同様に、断熱仕切り壁２６と少なくとも一部が重なる領域に設けられている。なお、背部断熱壁２２に配管部材１６が設けられていても良く、この場合、各吸着材５０は、配管部材１６で囲まれた内側の領域に設けても良いし、外側の領域に設けても良い。
【００８２】
本実施形態によれば、断熱箱体２０の背面を構成する背部断熱壁２２に設けられた真空断熱パネル３０についても、上記各実施形態と同様の作用効果を奏する。
【００８３】
（その他の実施形態）
また、冷蔵庫１０は、図１５に示すように、各貯蔵室１１〜１５内を冷却する冷却風を生成するための蒸発器つまり冷却器１７を備えている。そして、背部断熱壁２２のうち冷却器１７の裏側の領域つまり冷却器１７と重なる領域は温度が低く、背部断熱壁２２内に設けられた真空断熱パネル３０や発泡断熱材４０に結露が生じ易い。そのため、例えば上記実施形態の吸着材５０を背部断熱壁２２に適用した場合には、複数の吸着材５０のうち少なくとも１を、背部断熱壁２２に設けられた真空断熱パネル３０において、冷却器１７の裏側の領域つまり冷却器１７と重なる領域に設けることができる。
【００８４】
例えば複数の吸着材５０のうち２つのゲッタ材５２を、背部断熱壁２２に設けられた真空断熱パネル３０において、冷却器１７の裏側の領域つまり冷却器１７と重なる領域に設けることができる。これによれば、複数の吸着材５０のうち少なくとも１つのゲッタ材５２、この場合２つのゲッタ材５２を結露が生じ易い領域つまり冷却器１７の裏側の領域に配置することで、発生した結露を効率良く吸着することができ、その結果、真空断熱パネル３０の長期の信頼性を維持することができる。
【００８５】
また、背部断熱壁２２のうち冷却器１７の裏側の領域つまり冷却器１７と重なる領域は温度が低くなり易いため、高い断熱性を要する領域であると言える。そのため、上記実施形態の吸着材５０を背部断熱壁２２に適用した場合には、図１６に示すように、複数の吸着材５０のうち少なくとも１つを、背部断熱壁２２に設けられた真空断熱パネル３０において、冷却器１７の裏側の領域の外側の領域つまり冷却器１７と重らない領域に設けても良い。
【００８６】
例えば複数の吸着材５０のうち２つのゲッタ材５２を、背部断熱壁２２に設けられた真空断熱パネル３０において、冷却器１７の裏側の領域の外側の領域つまり冷却器１７と重らない領域に設けることができる。これによれば、複数の吸着材５０のうち少なくとも１つのゲッタ材５２、この場合２つのゲッタ材５２を、温度が低くなり易くより高い断熱性を必要とする領域以外の領域に設けることで、高い断熱性が必要な冷却器１７の裏側の領域において、吸着材５０を設けることによる断熱性の低下の影響を回避し、高い断熱性を確保することができる。
【００８７】
また、冷蔵庫１０は、図１７に示すように、冷蔵室１１に設けられた貯水タンク１８と、貯水タンク１８から製氷室１３に延びる給水パイプ１９と、を備えている。貯水タンク１８に貯水されている水は、給水パイプ１９を通って製氷室１３に送られる。ここで、例えば上記実施形態の吸着材５０を背部断熱壁２２に適用した場合には、複数の吸着材５０のうち少なくとも１つ、例えば２つのゲッタ材５２のうちの１つを、給水パイプ１９の裏側の領域つまり給水パイプ１９と重なる領域に設けても良い。この場合、給水パイプ１９は、冷蔵室１１等に収納された食品の保存とは直接的に関係の無い機構であり、給水パイプ１９周辺の断熱性が低下しても、冷蔵庫１０内の収納された食品には影響が無い。
【００８８】
したがって、この構成によれば、断熱性の影響が低い領域である給水パイプ１９の裏側の領域に複数の吸着材５０のうちの少なくとも１つを設けることで、真空断熱パネル３０の内部に複数の吸着材５０を設けて真空断熱パネル３０の真空度を長期的に維持しつつ、吸着材５０が断熱箱体２０の断熱性に及ぼす影響を極力抑制することができ、その結果、真空断熱パネル３０の長期の信頼性を維持することができる。
【００８９】
更に、給水パイプ１９内の水が凍結すると貯水タンク１８内の水を製氷室１３に送ることができない。これに対し、断熱性の影響が低い領域である給水パイプ１９の裏側の領域に吸着材５０を設けることで、真空断熱パネル３０のうち給水パイプ１９の裏側の領域の断熱性を敢えて低下させることができる。これにより、給水パイプ１９が過度に冷却されて給水パイプ１９内の水が氷結してしまうことを抑制することができる。
【００９０】
また、詳細は図示しないが、冷蔵庫１０は、冷却器１７で生成した冷気を各貯蔵室１１〜１５に供給するための風路ダクトを備えている。そして、例えば上記実施形態の吸着材５０を背部断熱壁２２に適用した場合には、吸着材５０を、背部断熱壁２２に設けられた真空断熱パネル３０において、図示しない風路ダクトの裏側の領域つまり風路ダクトと重なる領域に設けることができる。これによれば、真空断熱パネル３０のうち風路ダクトの裏側の領域の断熱性を敢えて低下させることができる。これにより、風路ダクト内が氷結して風路が塞がり、冷却性能が低下することを抑制することができる。
【００９１】
なお、上記各実施形態において、乾燥材とゲッタ材との配置を入れ替えることもできる。
また、上記各実施形態において、乾燥材５１は、冷蔵温度帯の貯蔵室１１、１２と重なる領域に設けられていたが、これに限られない。例えば乾燥材５１は、真空断熱パネル３０において冷凍温度帯の貯蔵室１３、１４、１５と重なる領域に設けることもできる。
【００９２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００９３】
図面中、１０は冷蔵庫、１１は冷蔵室（冷蔵温度帯の貯蔵室）、１２は野菜室（冷蔵温度帯の貯蔵室）、１３は製氷室（冷凍温度帯の貯蔵室）、１４は小冷凍室（冷凍温度帯の貯蔵室）、１５は冷凍室（冷凍温度帯の貯蔵室）、１６は配管部材、２０は断熱箱体、２１は側部断熱壁（断熱壁）、２２は背部断熱壁（断熱壁）、２３は天井部断熱壁（断熱壁）、２４は底部断熱壁（断熱壁）、２０１は外板、２０２は内板、２５は非断熱仕切り壁、２６は断熱仕切り壁、３０は真空断熱パネル、３０１は溝、３１１は耳部、３２はコア材、５０は吸着材、５１は乾燥材（吸着材）、５２、５２１、５２２、５２３、５２４、５２５、５２６はゲッタ材（乾燥材）、を示す。
【図１】
2020122632.tif 000003
【図２】
2020122632.tif 000004
【図３】
2020122632.tif 000005
【図４】
2020122632.tif 000006
【図５】
2020122632.tif 000007
【図６】
2020122632.tif 000008
【図７】
2020122632.tif 000009
【図８】
2020122632.tif 000010
【図９】
2020122632.tif 000011
【図１０】
2020122632.tif 000012
【図１１】
2020122632.tif 000013
【図１２】
2020122632.tif 000014
【図１３】
2020122632.tif 000015
【図１４】
2020122632.tif 000016
【図１５】
2020122632.tif 000017
【図１６】
2020122632.tif 000018
【図１７】
2020122632.tif 000019